(57)【要約】【課題】運転時、コード出口部より排気が出るのを抑えることで、排気のソフト感を向上させた電気掃除機を提供することを目的とする。【解決手段】吸引風を発する電動送風機６を内包する電動送風機室７と、電源コード２０を本体内に収納するコードリール室２１とを備え、前記電動送風機６より排出される排気の一部を前記電動送風機室７から前記コードリール室２１へ流入させるとともに、前記電動送風機６より排出される排気を大気へ放出する排気口３１を、前記電動送風機室７側とコードリール室２１側にそれぞれに分離して形成してなるもので、排気が足元にあたる不快感及び排気風による床面の塵ゴミの舞い上げを抑制し、排気のソフト感を向上することができる。【選択図】  図６
2004166864.tif 000002
【特許請求の範囲】
【請求項１】
吸引風を発する電動送風機を内包する電動送風機室と、電源コードを本体内に収納するコードリール室と、前記電源コードを掃除機本体より取り出すコード出口部とを備え、前記電動送風機より排出される排気の一部を前記電動送風機室から前記コードリール室へ流入させるとともに、前記電動送風機より排出される排気を大気へ放出する排気口を、前記電動送風機室側とコードリール室側にそれぞれに分離して形成してなる電気掃除機。
【請求項２】
電動送風機室側とコードリール室側にそれぞれ設けた排気口を、フィルターを有するカバーにて一体的に覆ってなる請求項１記載の電気掃除機。
【請求項３】
コードリール室側に設けられた排気口は多数の穴から構成され、フィルターを有するカバーは格子状枠部材からなり、前記格子状枠部材の格子穴と前記コードリール室側に設けた排気口の穴をそれぞれ対向させるように、前記格子状枠部材を掃除機本体に配した請求項１または２記載の電気掃除機。
【請求項４】
コードリール室側の排気口の穴の形状と格子状枠部材の格子穴の形状を縦長状とした請求項３記載の電気掃除機。
【請求項５】
電動送風機室側とコードリール室側にそれぞれに分離して設けた排気口は、カバーに至るまで区画して形成されてなる請求項２〜４のいずれか１項に記載の電気掃除機。
【請求項６】
電動送風機室側とコードリール室側にそれぞれに分離して設けた排気口の境界部に、カバーと接するリブを形成してなる請求項５記載の電気掃除機。
【請求項７】
電動送風機室側とコードリール室側にそれぞれに分離して設けた排気口の境界部に、カバーと接するシール部材を形成してなる請求項５記載の電気掃除機。
【請求項８】
カバーの排気上流側にフィルターを有するとともに、前記フィルターに電動送風機室側とコードリール室側にそれぞれに分離して設けた排気口の境界部を接するようした請求項５記載の電気掃除機。
【請求項９】
フィルターの通気圧損を、電動送風機室側に設けた排気口に対向する側より、コードリール室側に設けた排気口に対向する側を小さくした請求項５〜８のいずれか１項に記載の電気掃除機。
【請求項１０】
コードリール室側の排気口の開口面積を、コード出口部の開口面積よりも大きくした請求項１〜７のいずれか１項に記載の電気掃除機。
【請求項１１】
電動送風機室とコードリール室とは隔壁にて区画され、前記隔壁には、前記電動送風機室と前記コードリール室を連通する連通部を設けるとともに、前記連通部の開口面積よりコード出口部の開口面積を大きくした請求項１〜８のいずれか１項に記載の電気掃除機。
【発明の詳細な説明】
【０００１】
【発明の属する技術分野】
本発明は、運転中のコード出口からの排気風を抑えることのできる電気掃除機に関するものである。
【０００２】
【従来の技術】
従来の電気掃除機については図１２に示すように、１は電気掃除機の本体であり、本体１には、吸引風を発する電動送風機３の吸気上流側に塵埃を集塵する集塵室２を設け、前記集塵室２に連通して、前記電動送風機３を内蔵した電動送風機室４を設けており、掃除機本体１の後方外郭部分に、前記電動送風機３より排出される排気を大気中に放出する排気口１０を備えている。
【０００３】
また、前記電動送風機室４に隣接して、電動送風機３に電源を供給するための電源コード５を収納するコードリール室６を設けており、前記コードリール室６は、前記電源コード５を巻き付けたコードリール７と、コードリール７を軸支する隔壁８とで構成されており、前記隔壁８によりコードリール室６は前記電動送風機室４と区画形成されている。また、前記隔壁８側面には電動送風機室４側より排気風を取り入れるための通気孔９を設けており、これは運転時に発熱する電源コード５を冷却させる目的で設けている。そして、本体１の外郭の後面上部、もしくは下部にコード出口部を設けており、本体１内に前記電源コード５を収納した際、電源コード５の先端のコードプラグは、前記コード出口部で保持、収納される構成となっている（特許文献１参照。）。
【０００４】
【特許文献１】
特開２００２−６５５２２号公報
【０００５】
【発明が解決しようとする課題】
しかしながら上記従来の構成では、隔壁８に設けた電源コード５の冷却のため、通気孔９を通ってコードリール室６内に入ってきた電動送風機３からの排気風は、コード出口部より直接大気中に出てしまうため、前記排気口１０より出た排気風に比べ排気風速が強く、排気のソフト感を損なっていた。
【０００６】
本発明は上記課題を解決するものであり、運転時、コード出口部より排気が出るのを抑えることで、排気のソフト感を向上させた電気掃除機を提供することを目的とする。
【０００７】
【課題を解決するための手段】
上記目的を達成するために本発明は、吸引風を発する電動送風機を内包する電動送風機室と、電源コードを本体内に収納するコードリール室と、前記電源コードを掃除機本体より取り出すコード出口部とを備え、前記電動送風機より排出される排気の一部を前記電動送風機室から前記コードリール室へ流入させるとともに、前記電動送風機より排出される排気を大気へ放出する排気口を、前記電動送風機室側とコードリール室側にそれぞれに分離して形成してなるもので、コードリール室より排出される排気を大気へ放出する排気口を、コード出口部とは別に設けたことで、コード出口部より排気が強く出るのを抑えることができ、排気が足元にあたる不快感及び排気風による床面の塵ゴミの舞い上げを抑制し、排気のソフト感を向上することができる。
【０００８】
【発明の実施の課題】
本発明の請求項１記載の発明は、吸引風を発する電動送風機を内包する電動送風機室と、電源コードを本体内に収納するコードリール室と、前記電源コードを掃除機本体より取り出すコード出口部とを備え、前記電動送風機より排出される排気の一部を前記電動送風機室から前記コードリール室へ流入させるとともに、前記電動送風機より排出される排気を大気へ放出する排気口を、前記電動送風機室側とコードリール室側にそれぞれに分離して形成してなるもので、コードリール室より排出される排気を大気へ放出する排気口を、コード出口部とは別に設けたことで、コード出口部より排気が強く出るのを抑えることができ、排気が足元にあたる不快感及び排気風による床面の塵ゴミの舞い上げを抑制し、排気のソフト感を向上することができる。
【０００９】
本発明の請求項２記載の発明は、電動送風機室側とコードリール室側にそれぞれ設けた排気口を、フィルターを有するカバーにて一体的に覆ってなるもので、フィルターを有するカバーにて、電動送風機室側とコードリール室側にそれぞれ設けた排気口を覆ったことで、床面の塵ゴミの舞い上げを抑制し、排気のソフト感を向上することができる。また、微塵を含んだ排気を抑えることで、部屋の空気を汚さず、清潔感を増すことができる。
【００１０】
本発明の請求項３記載の発明は、コードリール室側に設けられた排気口は多数の穴から構成され、フィルターを有するカバーは格子状枠部材からなり、前記格子状枠部材の格子穴と前記コードリール室側に設けた排気口の穴をそれぞれ対向させるように、前記格子状枠部材を掃除機本体に配したもので、コードリール室側の排気口の通気圧損が減り、スムーズに大気へ放出されるため、同じコードリール室側に設けたコード出口部より排気が出るのを抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１１】
本発明の請求項４記載の発明は、コードリール室側の排気口の穴の形状と格子状枠部材の格子穴の形状を縦長状としたもので、コードリール室内でコードリールの円筒形状に沿って渦となって旋回している排気風が効率良く通過することで、排気圧損を軽減でき、排気がスムーズに大気へ放出されるため、同じコードリール室側に設けたコード出口部より排気が出るのを抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１２】
本発明の請求項５記載の発明は、電動送風機室側とコードリール室側にそれぞれに分離して設けた排気口は、カバーに至るまで区画して形成されてなるもので、コードリール室側の排気より圧力の高い電動送風機室側の排気が、コードリール室側の排気を干渉することがないため、コードリール室側の排気がスムーズに大気へ放出されることで、コードリール室側に設けたコード出口部からの排気量を抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１３】
本発明の請求項６記載の発明は、電動送風機室側とコードリール室側にそれぞれに分離して設けた排気口の境界部に、カバーと接するリブを形成してなるもので、コードリール室側の排気より圧力の高い電動送風機室側の排気が、コードリール室側の排気を干渉することがないため、コードリール室側の排気がスムーズに大気へ放出されることで、コードリール室側に設けたコード出口部からの排気量を抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１４】
本発明の請求項７記載の発明は、電動送風機室側とコードリール室側にそれぞれに分離して設けた排気口の境界部に、カバーと接するシール部材を形成してなるもので、コードリール室側の排気より圧力の高い電動送風機室側の排気が、コードリール室側の排気を干渉することがないため、コードリール室側の排気がスムーズに大気へ放出されることで、コードリール室側に設けたコード出口部からの排気量を抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１５】
本発明の請求項８記載の発明は、カバーの排気上流側にフィルターを有するとともに、前記フィルターに電動送風機室側とコードリール室側にそれぞれに分離して設けた排気口の境界部を接するようにしたもので、コードリール室側の排気より圧力の高い電動送風機室側の排気が、コードリール室側の排気を干渉することがないため、コードリール室側の排気がスムーズに大気へ放出されることで、コードリール室側に設けたコード出口部からの排気量を抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１６】
発明の請求項９記載の発明は、フィルターの通気圧損を、電動送風機室側に設けた排気口に対向する側より、コードリール室側に設けた排気口に対向する側を小さくしたもので、コードリール室側の排気口の通気圧損が減り、排気がスムーズに大気へ放出されるため、同じコードリール室側に設けたコード出口部からの排気を抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１７】
本発明の請求項１０記載の発明は、コードリール室側の排気口の開口面積を、コード出口部の開口面積よりも大きくしたもので、コードリール室内の排気は、排気圧損が低いコードリール室側の排気口の穴の方から多く放出されるため、コード出口部からの排気を抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１８】
本発明の請求項１１記載の発明は、電動送風機室とコードリール室とは隔壁にて区画され、前記隔壁には、前記電動送風機室と前記コードリール室を連通する連通部を設けるとともに、前記連通部の開口面積よりコード出口部の開口面積を大きくしたもので、小さい面積の部分から大きい面積の部分へ排気が流れる際に排気風速が下がる原理が働き、コード出口部からの排気風速を下げることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００１９】
【実施例】
以下、本発明の一実施例を図１〜図１０を用いて説明する。
【００２０】
図において、１は掃除機本体であり、外郭を構成する下ケース２と上ケース３とで構成されている。吸引風を発生する電動送風機６の吸気上流側なる下ケース２の前方には集塵袋４を着脱自在に収納する集塵室５と、集塵室５の後方いわゆる吸気下流側には前記電動送風機６を収納する電動送風機室７を設け、集塵室５と電動送風機室７とは仕切壁８にて区画形成し、仕切壁８に設けた連通口９を通して、集塵室５より空気を吸引している。電動送風機６はファン部１０と電動コイル部１１とから成り、電動送風機６のファン部１０前面には、断面が略Ｌ字状の発砲ゴム材等で形成したクッション１２を取り付け、また、電動コイル部１１後方には、ゴム材で形成したクッション１２を取りつけ、電動送風機室７の上方を覆い、かつ外郭の一部を形成する上ケース３、及び下ケース２に設けた前後の保持リブ１４、及び保持ボス１５で、電動送風機６の前後のクッション１２を挟みこんで電動送風機６を保持すると共に、このクッション１２によって電動送風機６からの振動が本体外郭に伝播するのを防いでいる。集塵室５の上方開口は上ケース３に軸支された開閉自在の蓋体１６で覆われており、下ケース２の集塵室５の開口縁１７とその開口縁１７に相対するように蓋体１６に設けたリブ壁１８との間にタイトのためのパッキン１９を設け、集塵室５の気密性を確保している。
【００２１】
電動送風機室７に隣接して、電動送風機６に電源を供給するための電源コード２０を収納するコードリール室２１を設けており、前記コードリール室２１は、前記電源コード２０を巻き付けたコードリール２２（図３）と、コードリール２２を軸支する隔壁２３と、コードリール２２の回転をロックするためのロック部２４と、ロック部２４を解除し、回動自在に隔壁２３に軸支されて、かつバネで付勢されたブレーキペダル２５とで構成されており、隔壁２３によりコードリール室２１と電動送風機室７とは区画形成されている。コードリール２２には、ドラム自体を回転可能にするための支軸２６とゼンマイバネ２７が内蔵されており、ゼンマイバネ２７の一端をコードリール２２側に、他端を支軸２６に保持させ、引き出した電源コード２０をゼンマイバネ２７の復元力によって電源コード２０を巻き取る構成になっている。
【００２２】
また、図５に示すように、隔壁２３側面には電動送風機室７側より排気風を取り入れるための連通部である連通口２８を設けており、これは運転時に発熱する電源コード２０を冷却する目的で設けている。そして、図４に示すように、本体外郭の後方上部にコード出口部２９を設けており、本体内に前記電源コード２０を収納した際、コードプラグ３０はコード出口部２９で保持、収納される構成となっている。
【００２３】
図７に示すように、３１は本体外郭後面に設けた排気口であり、上ケース３に形成されている。前記排気口３１は、電動送風機室側の排気口３１ａとコードリール室側の排気口３１ｂとに分離して配置してある。前記排気口３１には着脱自在で掃除機本体の外郭を形成する格子状枠部材３２が設けられ、前記格子状枠部材３２の全面は紡績布３３で覆われ、溶着固定されている。また、格子状枠部材３２の内側（排気上流側）には、微塵フィルター３４を設け、電動送風機室７からの排気及びコードリール室２１からの排気が排気口３１より排出され、さらに微塵フィルター３４と紡績布３３を通過して、大気中に直接排出されるように構成している。
【００２４】
次に、コード出口部２９より一部の排気が大気中へ放出されるのを防止する排気防止手段について説明する。
【００２５】
図７に示すように、格子状枠部材３２を排気口３１に取付けた際、格子状枠部材３２の格子穴３５とコードリール室２１側の排気口３１ｂに設けた穴３６とが各々対向するように配置したことで、コードリール室２１側の排気口３１ｂの通気圧損が減り、隔壁２３の連通口２８を通ってコードリール室２１側に流入した電動送風機室７側からの排気が、コードリール室２１側に設けた排気口３１ｂの穴３６から紡績布３３を介してスムーズに大気へ放出されるため、同じコードリール室２１側に設けたコード出口部２９より排気が出るのを抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００２６】
また、コードリール室２１側の排気口３１ｂの穴３６の形状と格子状枠部材３２の格子穴３５の形状を共に縦長形状にして一致させたことで、コードリール室２１内でコードリール２２の円筒形状に沿って旋回している排気風が、縦長形状により効率良く穴から通過し、さらに排気圧損が軽減でき、コード出口部２９より排気が出るのをより抑えることができ、上記と同様な効果を得ることができる。
【００２７】
また、電動送風機室７側の排気口３１ａとコードリール室２１側の排気口３１ｂとに分離した排気口３１の境界部３７に格子状枠部材３２と近接するリブ３８を形成し、電動送風機室７側の排気がコードリール室２１側に流入するのを防止するエアータイト手段を設けたことで、隔壁２３の連通口２８よりも通気圧損が低い電動送風機室７側の排気口３１ａより排気が、紡績布３３を介してスムーズに大気へ放出されるため、コード出口部２９からの排気量を抑えることができ、上記と同様に、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【００２８】
尚、上記エアータイト手段として、図８に示すように、排気口３１の境界部３７にシール部材３９を格子状枠部材３２と圧接するように設けたり、格子状枠部材３２の内側（排気上流側）に設けた微塵フィルター３４を排気口３１の境界部３７で圧接するように設けることでも、コード出口部２９からの排気量を抑えることができ、上記と同様な効果を得ることができる。
【００２９】
さらに、図９、図１０に示すように、格子状枠部材３２の排気上流側に設けた微塵フィルター３４の通気圧損を電動送風機室７側よりコードリール室２１側の方が低くなるようにしたことにより、コードリール室２１側の排気口３１ｂの通気圧損が減り、排気が紡績布３３を介してスムーズに大気へ放出されるため、コード出口部２９からの排気を抑えることができ、上記と同様な効果を得ることができる。
【００３０】
また、コードリール室２１側の排気口３１ｂの穴の開口面積をコード出口部２９の開口面積よりも大きく設定したことにより、コードリール室２１内の排気は、排気圧損が低いコードリール室２１側の排気口３１ｂの穴の方から多く放出されるため、コード出口部２９からの排気を抑えることができ、上記と同様な効果を得ることができる。
【００３１】
また、隔壁２３に設けた連通口２８の開口面積よりコード出口部２９の開口面積の方が広くなるように設定したことにより、狭い穴から広い穴へ排気が流れる際に排気風速が下がる原理が働き、コード出口部２９からの排気風速を下げることができ、上記と同様な効果を得ることができる。
【００３２】
また、図１１に示すように、３１は本体外郭後面に設けた排気口であり、上ケース３に形成されている。前記排気口３１に紡績布３３にて包囲した着脱自在な格子状枠部材３２の取り付け部を別部品を用いず上ケース３のみで構成できる様に、上ケース３の金型アンダー部３ａをスライドコア４０で抜いて構成したことにより、掃除機本体１の全長を小型化でき、かつ軽量化が図れる。
【００３３】
【発明の効果】
以上のように本発明によれば、運転時、コード出口部より排気が出るのを抑えることができ、排気が足元にあたる不快感及び排気風による床面の塵ゴミの舞い上げを抑制し、排気のソフト感を向上することができる。また、微塵を含んだ排気を抑えることで、部屋の空気を汚さず、清潔感を増すことができる。
【図面の簡単な説明】
【図１】本発明の一実施例を示す掃除機本体の側断面図
【図２】同掃除機本体を上方から見た組立状態図
【図３】同掃除機本体の部分側断面図
【図４】同掃除機本体の他の部分側断面図
【図５】同コードリール部ユニットの斜視図
【図６】同掃除機本体の後部斜視図
【図７】同掃除機本体の後部部品展開図
【図８】同掃除機本体の排気口部分の断面拡大図
【図９】同掃除機本体の排気口部分の他の断面拡大図
【図１０】同掃除機本体の格子状枠部材が有するフィルターを示す平面図
【図１１】同掃除機本体後部と排気口部の断面拡大図
【図１２】従来の掃除機本体を上方から見た組立状態図
【符号の説明】
１  掃除機本体
６  電動送風機
７  電動送風機室
２０  電源コード
２１  コードリール室
２２  コードリール
２３  隔壁
２８  通気口
２９  コード出口部
３１  排気口
３１ａ  電動送風機室側排気口
３１ｂ  コードリール室側排気口
３２  格子状枠部材
３３  紡績布
３４  微塵フィルター
３５  格子孔
３６  穴
３７  境界部
３８  リブ
３９  シール部材
【図１】
2004166864.tif 000003
【図２】
2004166864.tif 000004
【図３】
2004166864.tif 000005
【図４】
2004166864.tif 000006
【図５】
2004166864.tif 000007
【図６】
2004166864.tif 000008
【図７】
2004166864.tif 000009
【図８】
2004166864.tif 000010
【図９】
2004166864.tif 000011
【図１０】
2004166864.tif 000012
【図１１】
2004166864.tif 000013
【図１２】
2004166864.tif 000014